(57)【特許請求の範囲】
【請求項１】
基地局性能の測定方法であって、
カウンタールールベースをカスタマイズし、
ネットワーク管理システムがカウンタールールベースをロードし、
ネットワーク管理システムが測定タスクを基地局に送信し、
基地局がオリジナルデータを収集し、前記オリジナルデータをネットワーク管理システムに報告し、
ネットワーク管理システムが、報告されたオリジナルデータに応じて、カウンタールールベースを用いて性能データを取得し、
前記カウンタールールベースは、オリジナルデータセット、カウンターベース及びカウンタールールを含み、
前記カウンタールールは、基地局の性能データが計算される場合の、オリジナルデータとカウンターとの関係のマッピングも含み、
前記カウンタールールは、性能測定の動作タイプと条件情報も含む
ことを特徴とする基地局性能の測定方法。
【請求項２】
前記ネットワーク管理システムによって送信される測定タスクは、測定タスクタイプ及び測定タスクの報告期間を含む
ことを特徴とする請求項１に記載の測定方法。
【請求項３】
前記基地局によって収集されたオリジナルデータは、測定タスクの報告期間に応じて、基地局によって収集されたオリジナルデータである
ことを特徴とする請求項２に記載の測定方法。
【請求項４】
前記カウンタールールベースを用いることによって性能データを取得することは、
基地局によって報告されるオリジナルデータを受信した後に、ネットワーク管理システムが、測定によって得られる性能データを示すことができるルールベース識別子に応じて、カウンタールールベースから、関連するカウンタールールを見つけ、カウンタールールに応じて、要求される関連するカウンターを取得し、その後、動作タイプと条件情報との組み合わせにおける、要求される関連するカウンターに応じた要求される性能データを計算することを含む
ことを特徴とする請求項１に記載の測定方法。
【請求項５】
基地局性能の測定装置であって、
カウンタールールベースユニットと性能測定ユニットとを含み、
前記カウンタールールベースユニットは、性能測定ユニットにカウンタールールベースを提供し、
前記性能測定ユニットは、カウンタールールベースをロードし、基地局に測定タスクを送信し、基地局によって報告されたオリジナルデータを受信し、前記オリジナルデータに応じて、カウンタールールベースを用いて性能データを取得し、
前記カウンタールールベースユニットによって提供されるカウンタールールベースは、オリジナルデータセット、カウンターベース及びカウンタールールを含み、
前記カウンタールールは、基地局の性能データが計算される場合の、オリジナルデータとカウンターとの関係のマッピングも含み、
前記カウンタールールは、性能測定の動作タイプと条件情報も含む
ことを特徴とする基地局性能の測定装置。
【請求項６】
前記性能測定ユニットよって送信された測定タスクは、測定タスクタイプ及び測定タスクの報告期間を含む
ことを特徴とする請求項５に記載の測定装置。
【請求項７】
基地局から前記性能測定ユニットによって受信されたオリジナルデータは、測定タスクの報告期間に応じて、基地局によって収集されたオリジナルデータである
ことを特徴とする請求項６に記載の測定装置。
【請求項８】
前記性能測定ユニットは、
基地局によって報告されるオリジナルデータを受信した後に、ネットワーク管理システムが、測定によって得られる性能データを示すことができるルールベース識別子に応じて、カウンタールールベースから、関連するカウンタールールを見つけ、カウンタールールに応じて、要求される関連するカウンターを取得し、その後、動作タイプと条件情報との組み合わせにおける、要求される関連するカウンターに応じた要求される性能データを計算するように構成されている
ことを特徴とする請求項５に記載の測定装置。
【発明の詳細な説明】
【技術分野】
【０００１】
本発明は無線通信ネットワーク性能の測定分野に関し、特に、基地局性能の測定方法及び測定装置に関する。
【背景技術】
【０００２】
モバイル通信は、第１世代のアナログ音声サービスから、第２世代のデジタル音声サービス、第３世代のデジタル音声データサービス、第３世代以降のブロードバンド多機能集積サービスへと急速に発展を遂げており、これに伴い、基地局の設計の複雑さが増し、基地局の性能に対する要求もさらに高まっている。また、性能測定や性能管理に対する要求もこれに応じて高まっている。
【０００３】
性能データは、通信システム装置のメンテナンス、ネットワークプランニング及びネットワーク最適化の基礎となる最も基本的なデータである。性能データのデータ収集及びデータ集約は、サービス統計、性能測定、及びネットワーク管理データ集約を含む性能管理を介して実行される。一連の性能測定タスクは、ネットワークの運営・管理者により、監視要求に応じて決定され、基地局に送信される。対応するサービス処理ユニットによって収集された性能データは、基地局から取得される。しかし、性能データは一般的に膨大な量であり、性能データのリアルタイム性に対する要求は相対的に高い。
【０００４】
現在、性能管理を実現するための方法として、以下の３種類の方法がある。
【０００５】
第１の方法：基地局が、全ての性能データをネットワーク管理システムに送信する。そして、必要な性能データが、運営・管理者により、ネットワーク管理システムを介して、選択される。基地局とネットワーク管理システムとの間のインターフェースはとても簡単である。その上、性能データは、必要に応じて、ネットワーク管理システムによって取得され、報告が作成される。このような方法では、基地局とネットワーク管理システムとの間におけるデータ量が大きすぎ、かなり多くの通信帯域幅リソースが、基地局とネットワーク管理との間において占有され、これにより帯域幅リソースの深刻な浪費を招く。
【０００６】
第２の方法：対応する測定タスクが、運営・管理者によって、必要に応じて決定され、予め基地局に設定される。基地局性能測定ユニットは、測定タスクに応じ、対応する性能データをネットワーク管理システムに送信する。この場合、基地局とネットワーク管理システムとの間におけるデータ量がより小さく、トラフィックは、測定タスクを送信することによって制御可能である。しかし、実際の運営・管理過程では、性能測定の要求が絶えず変化し続ける。基地局とネットワークシステムは、絶えずアップグレードされ、また修正される必要がある。要求される結合度が比較的高く、要求における変更を迅速に処理することが困難である。
【０００７】
第３の方法：性能ルール構成テーブルが、運営・管理者によって、必要に応じて形成され、ネットワーク管理システムを介して、基地局に送信されるように構成される。イベントは、基地局によって、サービス処理後に報告される。より具体的には、基地局性能管理ユニットは、性能ルール構成テーブルに応じて、収集されたオリジナルデータを算出して、性能データを生成する。対応する性能データは、運営・管理者により決定された測定タスクに応じ、基地局によって報告される。この場合、基地局は、変化している要求をより柔軟に処理することができる。しかし、ネットワーク管理システムは、要求の変化に基づいて絶えずアップデートされる必要があり、基地局が構成テーブルを用いてカウンターを生成するための計算量は、上述した第２の方法の数倍となる。また、基地局への性能ルール構成テーブルを構成するネットワーク管理システムのデータ量もとても大きい。基地局は、測定要求が変化したとき、ネットワーク管理システムのソフトウェアが基地局のデータ報告に適合して修正・アップデートされるように構成されている必要がある。
【発明の概要】
【発明が解決しようとする課題】
【０００８】
これに鑑みて、本発明の主な目的は、帯域幅を節約しつつ、基地局性能の測定を実現することができる、基地局の性能測定における膨大な演算を減らすための、基地局性能の測定方法及び測定装置を提供することにある。
【課題を解決するための手段】
【０００９】
前記目的を実現するために、本発明の技術的スキームは以下のように実現される。
【００１０】
本発明に係る基地局性能の測定方法は、
カウンタールールベースをカスタマイズし、
ネットワーク管理システムがカウンタールールベースをロードし、
ネットワーク管理システムが測定タスクを基地局に送信し、
基地局が、オリジナルデータを収集し、前記オリジナルデータをネットワーク管理システムに報告し、
ネットワーク管理システムが、報告されたオリジナルデータに応じて、カウンタールールベースを用いて性能データを取得する。
【００１１】
ここで、前記カウンタールールベースは、オリジナルデータセット、カウンターベース及びカウンタールールを含んでもよい。
【００１２】
ここで、前記ネットワーク管理システムによって送信された測定タスクは、測定タスクタイプ及び測定タスクの報告期間を含んでもよい。
【００１３】
ここで、前記基地局によって収集されたオリジナルデータは、測定タスクの報告期間に、基地局によって収集されたオリジナルデータであってもよい。
【００１４】
ここで、前記カウンタールールベースを用いることによって性能データを取得することは、基地局によって報告されるオリジナルデータを受信した後に、ネットワーク管理システムが、測定によって得られる性能データを示すことができるルールベース識別子に応じて、カウンタールールベースから、関連するカウンタールールを見つけ、カウンタールールに応じて、要求される関連するカウンターを取得し、その後、動作タイプと条件情報との組み合わせにおける、要求される関連するカウンターに応じた要求される性能データを計算することを含んでもよい。
【００１５】
本発明に係る基地局性能の測定装置は、
カウンタールールベースユニットと性能測定ユニットとを含み、
前記カウンタールールベースユニットは、性能測定ユニットにカウンタールールベースを提供し、
前記性能測定ユニットは、カウンタールールベースをロードし、基地局に測定タスクを送信し、基地局によって報告されたオリジナルデータを受信し、前記オリジナルデータに応じて、カウンタールールベースを用いて性能データを取得する。
【００１６】
ここで、前記カウンタールールベースユニットによって提供されたカウンタールールベースは、オリジナルデータセット、カウンターベース及びカウンタールールを含んでもよい。
【００１７】
ここで、前記性能測定ユニットよって送信された測定タスクは、測定タスクタイプ及び測定タスクの報告期間を含んでもよい。
【００１８】
本発明に係る基地局性能の測定方法及び装置は、まず、要求に応じてカウンタールールベースをカスタマイズし、ネットワーク管理システムがカウンタールールベースをロードすることと、ネットワーク管理システムが測定タスクを基地局に送信し、基地局がオリジナルデータを収集し、そしてオリジナルデータをネットワーク管理システムに報告することと、ネットワーク管理システムが、報告されたオリジナルデータに応じて、カウンタールールベースを用いて性能データを取得することとを含む。基地局とネットワーク管理システムを完全にデカップリングすることができ、これにより、基地局の性能測定における膨大な演算が低減する。さらに、カウンタールールベースに対する簡単な修正によって、新たな性能測定タスクに適応することができ、これにより、基地局とネットワーク管理システムの異なる性能測定に対する柔軟性が向上する。
【図面の簡単な説明】
【００１９】
【図１】本発明に係る基地局性能の測定方法を示すフローチャートである。
【図２】本発明に係るネットワーク管理システムがカウンタールールベースを用いることによって性能データを取得する方法を示すフローチャートである。
【図３】本発明に係る基地局性能の測定装置の構成を示す図である。
【発明を実施するための形態】
【００２０】
以下、図面及び実施形態を参照し、本発明の技術的スキームを詳しく説明する。
【００２１】
図１は本発明に係る基地局性能の測定方法を示すフローチャートである。図１に示すように、前記基地局性能の測定方法は、以下のステップを含む。
【００２２】
ステップ１０１：カウンタールールベースが必要に応じてカスタマイズされ、カウンタールールベースがネットワーク管理システムによってロードされる。
【００２３】
より具体的に、前記カウンタールールベースは、オリジナルデータセット、カウンターベース及びカウンタールールを含む。オリジナルデータセットには、基地局の全ての報告可能なオリジナルデータが含まれる。基地局が設計された後には、基地局の報告可能なオリジナルデータが既に決定されているため、オリジナルデータセットにおけるオリジナルデータのコンテンツもまた決定されている。カウンターベースは、基地局の性能データカウンタールールベースを計算するために必要なすべてのカウンターを含む。カウンターベースは、実際の要求に応じて、予め設定されていてもよく、修正されてもよい。カウンタールールは、基地局の性能データが計算される場合の、オリジナルデータとカウンターとの関係のマッピングも含む。また、カウンタールールは、性能測定の動作タイプと条件情報も含む。上記の関係のマッピングは、１つ又は複数のオリジナルデータが、カウンターの１回又は複数回の演算により取得された必要な１つ又は複数の性能データに対応するということを含む。さらに、複数回の演算が、１つ又は複数のカウンターを用いることによって実行される必要がある場合、上記の関係のマッピングは、カウンターとカウンターに入力されたオリジナルデータとの関係を表すだけでなく、例えば、加減乗除、「より大きい」、「より小さい」、「及び」、「又は」など、複数のカウンターの結果におけるロジック演算ルールを含む。前記カウンタールールベースを応用することによって、性能データの種類ごとにそれぞれ１つのカウンターを単独に設定する必要がなく、複数の簡単なカウンターのロジック演算によって必要な性能データが取得可能である。さらに、新たな性能測定タスクに適合するカウンタールールベースに簡単な修正を加えることのみが必要であるため、前記カウンタールールベースは、構成が柔軟であるという利点を有する。
【００２４】
さらに、完了したカウンタールールベースは、例えばＸＭＬファイルやＥＸＣＥＬファイルなどの、ネットワーク管理システムによってロード可能なファイルとして構成される。その後、ネットワーク管理システムは、ファイルをロードすることによって、カウンタールールベースファイルを解析してロードする。ロードした後に、カウンタールールベースの情報は、例えば性能データに対応する関係のマッピングや、カウンタールールベースの作成日付などの、カウンタールールベースの情報として検索可能となる。
【００２５】
ステップ１０２：測定タスクが、ネットワーク管理システムによって、基地局に送信される。
【００２６】
より具体的に、前記ネットワーク管理システムは、測定に必要なタスクタイプに応じて、測定通知メッセージを送信し、当該測定タスクタイプのオリジナルデータを報告することを基地局に通知する。前記測定通知メッセージは、測定タスクタイプと、測定タスクの報告期間とを含む。測定タスクタイプは、具体的に、基地局の設計において、全ての機能の処理プロセスに応じ、処理プロセスにおける性能に関連する全てのデータが報告可能なポイントとして設計されることである。基地局の動作中において、これらの報告ポイントが性能に関連するオリジナルデータが報告可能である。さらに、基地局によって報告可能なオリジナルデータは、例えば、オペレーションシステムデータタイプ、無線サービスデータタイプなど、多くのタイプに分けることができる。これらの異なる測定タスクタイプは、これらの異なるタイプのオリジナルデータに従って区別可能である。
【００２７】
ステップ１０３：オリジナルデータが、測定タスクの報告期間に収集され、基地局によってネットワーク管理システムに報告される。
【００２８】
より具体的に、測定タスクがない場合、基地局の性能管理ユニットは、受信されたオリジナルデータを記憶しない。前記測定通知メッセージが受信された後、性能管理ユニットは、測定タスクのオリジナルデータの収集を開始し、それらを記憶する。測定タスクの報告期間が終了した後に、基地局は、記憶されたオリジナルデータをネットワーク管理システムに報告する。
【００２９】
ステップ１０４：性能データが、ネットワーク管理システムにより、報告されたオリジナルデータに応じたカウンタールールベースが用いられることによって取得される。
【００３０】
より具体的に、ネットワーク管理システムは、基地局によって報告された性能に関連するオリジナルデータを受信する。前記オリジナルデータは、更に、ルールベース識別子を含む。カウンタールールベースにおけるカウンタールールは、ルールベース識別子に応じて検索され、そして、カウンタールールに応じた必要な関連のあるカウンターを取得する。その後、要求された性能データが、カウンタールールにおける動作タイプや条件情報の組み合わせに従って、要求された関連のあるカウンターに応じて算出される。
【００３１】
さらに、性能データが取得された後に、性能データ報告は、性能データをそれに対応するカウンター情報と組み合わせて生成され、そして性能データ報告は記憶される。又は、性能データは、１階層上のネットワーク管理システムに直接報告される。
【００３２】
図２は本発明に係るネットワーク管理システムがカウンタールールベースを用いて性能データを取得するための方法を示すフローチャートである。図２に示すように、前記カウンタールールベースを用いて性能データを取得するための方法は、以下のステップを含む。
【００３３】
ステップ２０１：ネットワーク管理システムが、基地局によって報告されたオリジナルデータを受信する。
【００３４】
より具体的に、前記オリジナルデータは、基地局によって測定されて報告された性能に関連するオリジナルデータである。
【００３５】
ステップ２０２：オリジナルデータがルールベース識別子を取得するために解析される。
【００３６】
より具体的に、前記ルールベース識別子は、報告されたオリジナルデータによってもたらされ、要求される測定タスクタイプ、即ち、測定によって取得された要求される性能データを示すために用いられる。
【００３７】
ステップ２０３：カウンタールールベースにおけるカウンタールールがルールベース識別子に応じて取得される。
【００３８】
より具体的に、前記カウンタールールは、前記測定タスクタイプの要求される動作タイプや条件情報、及びカウンターインデックス情報を含む。
【００３９】
ステップ２０４：性能データがカウンタールールに応じて算出される。
【００４０】
より具体的に、要求されるカウンターは、カウンタールールベースにおけるカウンターインデクス情報に応じて取得される。その後、性能データは、動作タイプや条件情報との組み合わせるカウンターによって算出される。例えば、ロジック演算は、複数のカウンターの値のために実行される。又は、カウンターによって取得された値は、要求される性能データが取得されるまで演算を実行し続ける別のカウンターに導入される。
【００４１】
図３は本発明に係る基地局性能の測定装置の構造図である。図３に示すように、前記基地局性能の測定装置は、ネットワーク管理システムに配置される。この測定装置は、具体的に、カウンタールールベースユニット３１と性能測定ユニット３２とを含む。
【００４２】
前記カウンタールールベースユニット３１は、性能測定ユニット３２にカウンタールールベースを提供するように構成される。
【００４３】
より具体的に、前記カウンタールールベースユニット３１によって提供されたカウンタールールベースは、オリジナルデータセット、カウンターベース及びカウンタールールを含む。オリジナルデータセットは、基地局の全ての報告可能なオリジナルデータを含む。基地局が設計された後に、基地局の報告可能なオリジナルデータは既に決定されているため、オリジナルデータセットにおけるオリジナルデータコンテンツもまた決定される。カウンターベースは、基地局の性能データを計算するために必要なすべてのカウンターを含む。カウンターベースは、実際の要求に応じて、予め設定されてもよく、修正されてもよい。カウンタールールは、要求される性能データが計算される場合に、オリジナルデータとカウンターとの間の関係のマッピングを含む。上記の関係のマッピングは、前記オリジナルデータとカウンターによって要求される動作タイプ及び条件情報である。例えば、１つ又は複数のオリジナルデータは、１つ又は複数のカウンターによって取得される１回又は複数回の演算データに対応する。さらに、１つ又は複数のカウンターを用いることにより複数回の演算が実行される必要がある場合、上記の関係のマッピングは、カウンターとカウンターに導入されるオリジナルデータとの間の関係を表すだけでなく、例えば加減乗除、「より大きい」、「より小さい」、「及び」、「又は」など、複数のカウンター結果におけるロジック演算ルールを含む。
【００４４】
さらに、運営・管理者がさらに前記カウンタールールベースユニット３１を介してカウンタールールベースを修正することもできる。本発明は、カウンタールールを用いてオリジナルデータセットとカウンターベースとを関連付けることを実行し、測定される性能データの種類ごとにそれぞれ１つのカウンターを別々に設定する必要がないため、要求される性能データは、複数の簡単なカウンターのロジック演算によって取得可能である。さらに、新たな性能測定タスクに適合するために、カウンタールールベースに簡単な修正を加える必要があるため、前記カウンタールールベースは、構成が柔軟であるという利点を有する。
【００４５】
前記性能測定ユニット３２は、カウンタールールベースをロードし、基地局に測定タスクを送信し、基地局によって報告されるオリジナルデータを受信し、前記オリジナルデータに応じて、カウンタールールベースを用いて性能データを取得するように構成されている。
【００４６】
より具体的に、前記性能測定ユニット３２は、ファイルをロードすることによりカウンタールールベースファイルを解析してロードする。ロードした後、カウンタールールベースの情報は、例えば、性能データに対応する関係のマッピング、カウンタールールベースの作成日付など、カウンタールールベースの情報の中で検索可能となる。
【００４７】
前記性能測定ユニット３２は、要求される測定タスクタイプに応じて、測定通知メッセージを送信し、当該測定タスクタイプのオリジナルデータを報告するように基地局に通知する。前記測定通知メッセージは、測定タスクタイプや測定タスクの報告期間を含む。測定タスクタイプは、具体的に、基地局の設計において、全ての機能の処理プロセスに応じ、処理プロセスにおける性能に関連する全てのデータが報告可能なポイントとして設計されることである。基地局の動作中において、これらの報告ポイントが性能に関連するオリジナルデータが報告可能である。さらに、基地局によって報告可能なオリジナルデータは、例えば、オペレーションシステムデータタイプ、無線サービスデータタイプなど、多くのタイプに分けることができる。これらの異なる測定タスクタイプは、これらの異なるタイプのオリジナルデータに従って区別可能である。
【００４８】
前記性能測定ユニット３２は、基地局によって報告された性能に関連するオリジナルデータを受信する。前記オリジナルデータには、ルールベース識別子を含む。カウンタールールベースにおけるカウンタールールは、ルールベース識別子に応じて検索され、そして、カウンタールールに応じた必要な関連のあるカウンターを取得する。その後、要求された性能データが、カウンタールールにおける動作タイプや条件情報の組み合わせに従って、要求された関連のあるカウンターに応じて算出される。
【００４９】
さらに、性能データが前記性能測定ユニット３２によって取得された後に、性能データ報告は、性能データをそれに対応するカウンター情報と組み合わせることによって生成可能であり、その後、性能データ報告は記憶される。又は、性能データは、１段階上のネットワーク管理システムに直接報告される。
【００５０】
さらに、前記基地局性能の測定装置によって測定される基地局において測定タスクがない場合、基地局の性能管理ユニットは、受信されたオリジナルデータを記憶しない。前記測定通知メッセージが受信された後、性能管理ユニットは、測定タスクのオリジナルデータを収集開始し、それらを記憶する。測定タスクの報告期間が終了した後に、基地局は、記憶されたオリジナルデータを前記性能測定ユニット３２に報告する。
【００５１】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、置換及び改良などは、すべて本発明の保護範囲に属する。
【図１】
0005614666.tif 000002
【図２】
0005614666.tif 000003
【図３】
0005614666.tif 000004